(57)【要約】      （修正有）【課題】汎用性の高いメリーゴーランド支持具を提供する。【解決手段】前後方向及び左右方向に延在する基台１と、前後方向から見て上下方向に延在し、左右方向に並ぶ一対の縦桟部２２と、縦桟部を連結する横桟部２３と、を有し、下端部が左右方向から見て基台１の端部以外の部分に連結されている取付部２と、を備える。【選択図】図１
2014233335.tif 000002
【特許請求の範囲】
【請求項１】
前後方向及び左右方向に延在する基台と、
前後方向から見て上下方向に延在し、左右方向に並ぶ一対の縦桟部と、前記縦桟部を連結する横桟部と、を有し、下端部が左右方向から見て前記基台の端部以外の部分に連結されている取付部と、を備える、メリーゴーランド支持具。
【請求項２】
前記縦桟部は、上端が下端よりも後方に位置するように傾斜している、請求項１に記載のメリーゴーランド支持具。
【請求項３】
前記基台は、上下方向から見て前記取付部から前記取付部の左後方及び右後方に延び、前記取付部の下端部と連結されている後脚部と、上下方向から見て前記後脚部から前記取付部の右前方及び左前方に延びる前脚部と、を含む、請求項１又は２に記載のメリーゴーランド支持具。
【発明の詳細な説明】
【技術分野】
【０００１】
本発明は、メリーゴーランドを支持するメリーゴーランド支持具に関する。
【背景技術】
【０００２】
従来から、メリーゴーランド玩具の床置き型基台（メリーゴーランド支持具）が知られている（例えば特許文献１参照）。
【０００３】
この床置き型基台は、基台上に立設されたスロットと、このスロットの開口部に取り付けられた中空円筒状のパッドと、を備えている。そして、ベッド取付型基台を取り外したメリーゴーランドのアームをパッドを介してスロット内に挿入することによって、アームを基台に固定することができ、メリーゴーランドを床置きすることができる。
【先行技術文献】
【特許文献】
【０００４】
【特許文献１】実開平４―１３６２８９号公報
【発明の概要】
【発明が解決しようとする課題】
【０００５】
しかし、特許文献１に記載の床置き型基台は、ベッド取付型基台を取り外したメリーゴーランドのアームに装着する必要があり、汎用性がなく、ベッド取付型基台が取り外せないメリーゴーランドのアームには装着することができないという問題があった。
【課題を解決するための手段】
【０００６】
上記課題を解決するため、本発明のある態様に係るメリーゴーランド支持具は、前後方向及び左右方向に延在する基台と、前後方向から見て上下方向に延在し、左右方向に並ぶ一対の縦桟部と、前記縦桟部を連結する横桟部と、を有し、下端部が左右方向から見て前記基台の端部以外の部分に連結されている取付部と、を備える。
【０００７】
ベッド取付型のメリーゴーランドは、一般的にベビーベッドの柵の縦桟又は横桟に取り付けられる。この構成によれば、メリーゴーランド支持具の取付部の縦桟部及び横桟部がベビーベッドの柵の縦桟及び横桟にそれぞれ相当するメリーゴーランドの取付部として機能するので、ベッド取付型のメリーゴーランドを当該取付部に取り付けて、それを床置き型のメリーゴーランドとして使用することができる。従って、メリーゴーランド支持具の汎用性を高めることができ、ベビーベットへの取り付け方法の異なる複数の種類のメリーゴーランドを取り付けることができる。したがって、例えば、メリーゴーランドを買い替えた場合においても、メリーゴーランド支持具を継続使用することができるので、メリーゴーランド支持具を買い替える必要がなく、使用者の費用負担を軽減することができる。ひいては、省資源化及び環境保全に貢献することができる。
【０００８】
前記縦桟部は、上端が下端よりも後方に位置するように傾斜していてもよい。
【０００９】
この構成によれば、前脚部の前方への突出寸法を短くすることができる。
【００１０】
前記基台は、上下方向から見て前記取付部から前記取付部の左後方及び右後方に延び、前記取付部の下端部と連結されている後脚部と、上下方向から見て前記後脚部から前記取付部の右前方及び左前方に延びる前脚部と、を含んでいてもよい。
【００１１】
この構成によれば、メリーゴーランドを安定的に支持することができる。
【発明の効果】
【００１２】
本発明は、メリーゴーランド支持具の汎用性を高めることができるという効果を奏する。
【図面の簡単な説明】
【００１３】
【図１】本発明の実施の形態に係るメリーゴーランド支持具の構成例を示す斜視図である。
【図２】図１のメリーゴーランド支持具の使用例１を示す側面図である。
【図３】図１のメリーゴーランド支持具の使用例１を示す側面図である。
【図４】図１のメリーゴーランド支持具の使用例２を示す側面図である。
【発明を実施するための形態】
【００１４】
以下、本発明の実施の形態について、図面を参照しながら説明する。なお、本実施の形態によって本発明が限定されるものではない。また、以下では、全ての図を通じて、同一又は相当する要素には同一の参照符号を付して、その重複する説明を省略する。
【００１５】
（実施の形態）
図１は、本発明の実施の形態に係るメリーゴーランド用スタンド１００（メリーゴーランド支持具）の構成例を示す斜視図である。
【００１６】
以下では、便宜上、スタンド１００にメリーゴーランドを取り付けた使用状態（図２〜４）において、スタンド１００から見て、メリーゴーランドの装飾体回転機構が位置する側を単に前といい、その反対側を後ということがある。また、前方からスタンド１００を見て、上、下、左及び右のそれぞれの方向を、それぞれ単に上、下、左及び右ということがある。
【００１７】
図１に示すように、スタンド１００は、基台１と、取付部２と、を備える。
【００１８】
基台１は、前後方向及び左右方向に延在する台である。基台１の形状は特に限定されないが、本実施の形態では、例えば、板状体である。基台１の材質は特に限定されないが、本実施の形態では、例えば、樹脂製である。本実施の形態において、例えば、基台１は、後脚部１１及び前脚部１２を備える。
【００１９】
後脚部１１は、例えば、前方に突出するように湾曲する底面が平坦な棒状体であり、左右方向に延在している。
【００２０】
前脚部１２は、例えば、後脚部１１の中央部左寄りから左前方に延びる底面が平坦な左前脚部１２ａ及び後脚部１１の中央部右寄りから右前方に延びる底面が平坦な右前脚部１２ｂを含む。したがって、前脚部１２は、上下方向から見て、後脚部１１から取付部２の右前方及び左前方に延びるように構成されている。そして、前脚部１２の厚さ寸法は、後脚部１１の厚さ寸法よりも小さく形成されている。
【００２１】
取付部２は、前後方向から見て上下方向に延在する板状体である。また、取付部２は、上下方向から見て、左右方向に延在している。そして、取付部２の下端部は、基台１の後脚部１１の中央部に固着されている。したがって、取付部２の下端部は、前後方向から見て、基台１の中央部に固着されている。また、後脚部１１は、上下方向から見て、取付部２から取付部２の左後方及び右後方に延びるように構成されている。また、取付部２の下端部は、左右方向から見て、前方に前脚部１２が延び、後方に後脚部１１が延びるように構成されている。即ち、取付部２の下端部は、左右方向から見て、基台１の端部以外の部分に連結されている。
【００２２】
そして、本実施の形態において、取付部２は、上端が下端よりも後方に位置するように傾斜している。したがって、取付部２の前面は、斜め上方を向くように構成されている。
【００２３】
そして、取付部２は、取付部２の前面と後面とを接続するように形成された長孔２１を有する。長孔２１は、取付部２の中央部に形成され、上下方向に延在している。したがって、長孔２１の左方及び右方には、上下方向に延在する柱状の部分が形成されており、この部分が一対の縦桟部２２を構成する。また、長孔２１の上方には、一対の縦桟部２２を連結する欄干状の部分が形成されており、この部分が横桟部２３を構成する。この横桟部２３は、一般的なベビーベッドの柵の横桟に相当する、メリーゴーランドの取付部として機能する。本実施の形態において、長孔２１の左右方向の寸法は、一般的なベビーベッドの柵の縦桟の間隔に設定されることが好ましい。これによって、一対の縦桟部２２が一般的なベビーベッドの柵の横桟に相当する、メリーゴーランドの取付部として機能し、スタンド１００は、縦桟を挟持する取付具を有するより多くのメリーゴーランドを取り付けることができる。
【００２４】
（使用例１）
次に、スタンド１００の使用例１を説明する。
【００２５】
図２及び図３は、スタンド１００の使用例１を示す側面図である。
【００２６】
本使用例では、図２に示すメリーゴーランド１２０をスタンド１００に取り付ける場合の使用例について説明する。
【００２７】
このメリーゴーランド１２０は、屈曲したアーム１２１と、アーム１２１の先端部に取り付けられている装飾体回転機構１２２と、アーム１２１の基端部に設けられている把持機構１２３とを備える。アーム１２１は、使用時における姿勢において、上下方向に延び、そこから水平方向に徐々に曲がり、そこから略水平方向に延びる形状に形成されている。把持機構１２３は、前後方向に並び、対向する一対の押圧片１２４と、押圧片１２４の上方に設けられている操作部１２５とを有する。操作部１２５は、アーム１２１の下端に嵌着されており、アーム１２１の軸線周りに回転自在に設けられている。そして、把持機構１２３は、操作部１２５をアーム１２１の軸線周りに回転させることによって、一対の押圧片１２４を動かし、その間隔を変更することができるように構成されている。この把持機構１２３として、種々の周知の構造を採用することができるので、その具体的な説明は省略する。
【００２８】
このメリーゴーランド１２０は、把持機構１２３に周知のベビーベッドの柵の横桟（欄干）を把持させることによって、ベビーベッドに取り付けることができるものである。
【００２９】
そして、このメリーゴーランド１２０をスタンド１００に取り付けるときは、まず、メリーゴーランド１２０の一対の押圧片１２４の間にスタンド１００の横桟部２３を位置させる。
【００３０】
次に、操作部１２５を回転させて一対の押圧片１２４の間隔を狭め、把持機構１２３にメリーゴーランド１２０の横桟部２３を把持させる。このようにして、スタンド１００にメリーゴーランド１２０を取り付けることができる。
【００３１】
次に、図３に示すように、メリーゴーランド１２０の装飾体回転機構１２２が乳幼児用布団の上で横臥する乳幼児の頭の上方に位置するように、メリーゴーランド１２０を取り付けたスタンド１００を乳幼児用布団の傍らに設置する。このとき、スタンド１００の前脚部１２が乳幼児用布団と床との間に位置するようにスタンド１００を設置してもよい。このように設置した場合、上述の通り、スタンド１００の前脚部１２の厚さ寸法は、後脚部１１の厚さ寸法よりも小さく構成されているので、乳幼児用布団の隆起を抑制することができ、乳幼児用布団の隆起が乳幼児の安眠を妨げることを防ぐことができる。また、上述の通り、スタンド１００の取付部２は、上端が下端よりも後方に位置するように傾斜しているので、前脚部１２の前方への突出寸法を短くすることができる。すなわち、傾斜している取付部２を把持機構１２３が把持することによってスタンド１００に取り付けられているメリーゴーランド１２０は、後方に傾斜した状態となる。したがって、メリーゴーランド１２０の重心は、取付部２が直立している場合と比べて後方に位置することになるので、前脚部１２の前方への突出寸法を短くしても、スタンド１００はメリーゴーランド１２０を安定的に支持することができる。なお、この場合、後脚部１１の先端が更に後方に位置するように後脚部１１を延長すれば、スタンド１００はメリーゴーランド１２０をより安定的に支持することができる。このように前脚部１２の前方への突出寸法を短くすれば、前脚部１２の先端が乳幼児用布団の内側奥深くに位置することを防ぐことができ、乳幼児用布団の隆起を抑制することができる。したがって、乳幼児用布団の隆起が乳幼児の安眠を妨げることを防ぐことができる。
【００３２】
（使用例２）
次に、スタンド１００の使用例２を説明する。
【００３３】
図４は、スタンド１００の使用例２を示す側面図である。
【００３４】
本使用例では、図４に示すメリーゴーランド１４０をスタンド１００に取り付ける場合の使用例について説明する。
【００３５】
このメリーゴーランド１４０は、屈曲したアーム１４１と、アーム１４１の先端に取り付けられている装飾体回転機構１４２と、アーム１４１の基端に設けられている操作部１４３とを備える。アーム１４１は、使用例１におけるアーム１２１とほぼ同様の全体形状に形成されている。操作部１４３は、前面に図示しないスイッチが設けられており、スイッチを操作することによって、装飾体回転機構１４２の回転駆動開始操作及びその停止操作を行うことができる。また、操作部１４３は、背面に挟持機構１４４が設けられている。挟持機構１４４は、操作部１４３の背面から突出する雄ねじ部１４５と、雄ねじ部１４５と螺合する雌ねじが形成されたナット部材１４６とを含む。
【００３６】
このメリーゴーランド１４０は、挟持機構１４４が周知のベビーベッドの柵の縦桟を締め付けることによって、ベビーベッドに取り付けることができるものである。
【００３７】
そして、メリーゴーランド１４０をスタンド１００に取り付けるときは、まず、メリーゴーランド１４０の挟持機構１４４の雄ねじ部１４５を取付部２の前方から後方に向かって長孔２１に挿通する。これによって、雄ねじ部１４５は一対の縦桟部２２の間に位置する。
【００３８】
次に、雄ねじ部１４５にナット部材１４６を螺合し、挟持機構１４４によって取付部２を締め付ける。このようにして、スタンド１００にメリーゴーランド１４０を取り付けることができる。
【００３９】
次に、メリーゴーランド１４０の装飾体回転機構１４２が乳幼児用布団の上で横臥する乳幼児の頭の上方に位置するように、メリーゴーランド１４０と取り付けたスタンド１００を乳幼児用布団の傍らに設置する。本使用例の以後の使用例については、上記使用例１と同様であるので、その説明を省略する。
【００４０】
以上に説明したように、本発明のスタンド１００は、前後方向から見て上下方向に延在し、左右方向に並ぶ一対の縦桟部２２と、この一対の縦桟部２２を連結する横桟部２３とを有しているので、スタンド１００の取付部２の縦桟部２２及び横桟部２３がベビーベッドの柵の縦桟及び横桟にそれぞれ相当するメリーゴーランドの取付部として機能するので、ベッド取付型のメリーゴーランドの取付部に取り付けて、それを床置き型のメリーゴーランドとして使用することができる。したがって、スタンド１００を汎用性の高いものとすることができ、上記使用例１に示すメリーゴーランド１２０、上記使用例２に示すメリーゴーランド１４０等のベビーベッドへの取り付け方法の異なる複数の種類のメリーゴーランドをスタンド１００に取り付けることができる。よって、例えば、メリーゴーランドを買い替えた場合においても、スタンド１００を継続使用することができるので、スタンド１００を買い替える必要がなく、使用者の費用負担を軽減することができる。ひいては、省資源化及び環境保全に貢献することができる。
【００４１】
なお、上述の通り、基台１の形状は特に限定されず、例えば、上記実施の形態に代えて、平板状に形成されていてもよい。
【００４２】
また、本実施の形態において、取付部２の下端部は、前後方向から見て、基台１の中央部に固着されているがこれに限られるものではなく、左方及び右方に偏って基台１に固着されていてもよい。
【００４３】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【００４４】
本件発明は、乳幼児の育児器具に有用である。
【符号の説明】
【００４５】
１  基台
２  取付部
１１  後脚部
１２  前脚部
２１  長孔
２２  縦桟部
２３  横桟部
１００  スタンド
【図１】
2014233335.tif 000003
【図２】
2014233335.tif 000004
【図３】
2014233335.tif 000005
【図４】
2014233335.tif 000006